(57)【要約】      （修正有）【課題】側枠の組み付け、取り外し作業の簡略化による作業時間の短縮化と労力の軽減化を可能にするコンクリート製品成型型枠装置を提供する。【解決手段】底板１と、この底板１の周縁を囲む側枠によって構成され、側枠の内少なくとも対向する両長手側側枠２、２の下端縁部が底板１の両側縁部に対し蝶番６で開閉自在に軸支され、側枠の内対向する短手側側枠が底板１に軸支された両長手側側枠２、２の両端縁部に対し着脱自在に固定することで組み付けられ、両長手側側枠２、２の上端縁部相互間を連結する連結金具４と、底板１の上面に固定されたヌスミ板５を主な構成として備える。【選択図】図３
0003197124.tif 000002
【実用新案登録請求の範囲】
【請求項１】
底板と、この底板の周縁を囲む側枠によって構成され、
前記側枠の内少なくとも対向する両長手側側枠の下端縁部が前記底板の両側縁部に対し開閉自在に軸支されていることを特徴とするコンクリート製品成型型枠装置。
【請求項２】
請求項１記載のコンクリート製品成型型枠装置において、
前記軸支部が蝶番で構成されていることを特徴とするコンクリート製品成型型枠装置。
【請求項３】
請求項１又は２記載のコンクリート製品成型型枠装置において、
前記側枠の内対向する短手側側枠が底板に軸支された両長手側側枠の両端縁部に対し着脱自在に固定することで組み付けられるように構成されていることを特徴とするコンクリート製品成型型枠装置。
【請求項４】
請求項１〜３のいずれか１項に記載のコンクリート製品成型型枠装置において
前記両長手側側枠の上端縁部相互間を連結する連結金具を備えることを特徴とする手段とした。
【請求項５】
請求１〜４のいずれか１項に記載のコンクリート製品成型型枠装置において
前記底板の上面には、コンクリート製品の底面形状に応じたヌスミ板が固定されていることを特徴とするコンクリート製品成型型枠装置。
【考案の詳細な説明】
【技術分野】
【０００１】
本考案は、ＡＬＣ立ち上がり受けや単純梁構造等のコンクリート製品成型型枠装置に関する。
【背景技術】
【０００２】
従来、ＡＬＣ立ち上がり受けや単純梁構造等のコンクリート製品は、所定形状の底板と、この底板の外周から立設する４枚の側枠とからなる型枠内にコンクリートを流し込み、コンクリート硬化後に４枚の側枠を底板から取り外すことにより製造されている。（例えば、特許文献１参照）。
【先行技術文献】
【特許文献】
【０００３】
【特許文献１】特開２０１４−２０５３２９号公報
【考案の概要】
【考案が解決しようとする課題】
【０００４】
しかしながら、従来例のコンクリート製品成型型枠装置にあっては、４枚の側枠が底板とは独立した構造であるため、硬化したコンクリート製品を型枠内から取り出すには底板から４枚の側枠を取り外す必要があり、このため、次にコンクリート製品を製造するには、４枚の側枠を底板の外周に組み付け直す作業が必要である。
従って、コンクリート製品を連続的に製造するには、側枠の組み付け、取り外し作業を繰り返す必要があり、多くの労力と時間を要するという問題があった。
【０００５】
本考案の解決しようとする課題は、側枠の組み付け、取り外し作業の簡略化による作業時間の短縮化と労力の軽減化を可能にするコンクリート製品成型型枠装置を提供することにある。
【課題を解決するための手段】
【０００６】
上記課題を解決するため請求項１記載のコンクリート製品成型型枠装置は、底板と、この底板の周縁を囲む側枠によって構成され、
前記側枠の内少なくとも対向する両長手側側枠の下端縁部が前記底板の両側縁部に対し開閉自在に軸支されていることを特徴とする手段とした。
【０００７】
また、請求項２記載のコンクリート製品成型型枠装置は、請求項１記載のコンクリート製品成型型枠装置において、
前記軸支部が蝶番で構成されていることを特徴とする手段とした。
【０００８】
また、請求項３記載のコンクリート製品成型型枠装置は、請求項１又は２記載のコンクリート製品成型型枠装置において、
前記側枠の内対向する短手側側枠が底板に軸支された両長手側側枠の両端縁部に対し着脱自在に固定することで組み付けられるように構成されていることを特徴とする手段とした。
【０００９】
また、請求項４記載のコンクリート製品成型型枠装置は、請求項１〜３のいずれか１項に記載のコンクリート製品成型型枠装置において
前記両長手側側枠の上端縁部相互間を連結する連結金具を備えることを特徴とする手段とした。
【００１０】
また、請求項５記載のコンクリート製品成型型枠装置は、請求１〜４のいずれか１項に記載のコンクリート製品成型型枠装置において
前記底板の上面には、コンクリート製品の底面形状に応じたヌスミ板が固定されていることを特徴とする手段とした。
【考案の効果】
【００１１】
請求項１記載のコンクリート製品成型型枠装置では、上述のように、底板と、この底板の周縁を囲む側枠よって構成され、側枠の内少なくとも対向する両長手側側枠の下端縁部が前記底板の両側縁部に対し開閉自在に軸支されているため、側枠の組み付け、取り外し作業の簡略化による作業時間の短縮化と労力の軽減化が可能になるという効果が得られる。
【図面の簡単な説明】
【００１２】
【図１】実施例１のコンクリート製品成型型枠装置の組み付け状態を示す平面図である。
【図２】図１のＡ−Ａ線における拡大縦断面図である。
【図３】実施例１のコンクリート製品成型型枠装置における組付け前の状態を示す拡大縦断面図である。
【考案を実施するための形態】
【００１３】
以下にこの考案の実施例を説明する。
【実施例１】
【００１４】
まず、この実施例１のコンクリート製品成型型枠装置を図面に基づいて説明する。
なお、この実施例１では、ＡＬＣ立ち上がり受けを成型する型枠装置を例にとって説明する。
【００１５】
このコンクリート製品成型型枠装置は、図１〜３に示すように、底板１と、この底板１の周縁を囲む両長手側側枠２、２と、両短手側側枠３、３と、両長手側側枠の上端縁部相互間を連結する複数個の連結金具４と、ヌスミ板５を主な構成として備えている。
【００１６】
さらに詳述すると、前記両長手側側枠２、２はアルミニウムで構成され、底板１と両短手側側枠３、３とヌスミ板５は木材で構成されている。
また、前記両長手側側枠２、２の下端縁部が底板１の両側縁部に対し蝶番６、６で開閉自在に軸支されている。なお、この蝶番６はピアノ蝶番で構成することが望ましい。
また、前記ヌスミ板５は、底板１の上面に固定された状態で備えられている。
【００１７】
また、前記両短手側側枠３、３は、底板１に軸支された両長手側側枠２、２の両端縁部に対しキャッチクランプ７で着脱自在に固定されるようになっている。
【００１８】
また、前記連結金具４は、両長手側側枠２、２の上端縁部に係合するフランジ部４１、４１と、両フランジ部４１、４１の内側縁部から両長手側側枠２、２の内面に沿った側面部４２、４２と、両側面部４２、４２の下端縁部相互間を連結する底面部４３で構成され、両フランジ部４１、４１を両長手側側枠２、２の上端縁部に対し連結ピンやボルト等の固定具９で固定することで取り付けられるようになっている。
【００１９】
また、底面部４３には、成型されるＡＬＣ立ち上がり受けの上面（使用状態では下面）にボルトねじ込み用のインサート金具８を埋め込むためのボルト挿通孔が形成され、このボルト挿通孔に差し込んだボルト１０で底面部４３の下面にインサート金具８を埋め込み固定できるようになっている。
【００２０】
次に、この実施例１の作用を説明する。
この実施例１のコンクリート製品成型型枠装置では、上述のように構成されるため、ＡＬＣ立ち上がり受けＢの成型に際しては、まず、図３に示すように、底板１に対し両長手側側枠２、２を外側に開いた状態から、図２に示すように、両長手側側枠２、２を垂直に起こし、次に、底面部４３にインサート金具８をボルト１０で固定した連結金具４の両フランジ部４１、４１を両長手側側枠２、２の上端縁部に対しボルト９で固定することにより両長手側側枠２、２を立設状態に固定する。
【００２１】
次に、図１に示すように、両長手側側枠２、２の両端縁部に対しキャッチクランプ７で両短手側側枠３、３をそれぞれ固定することで、型枠の組み付けを完了し、型枠内にコンクリート１１を流し込む。
【００２２】
次に、コンクリート１１が硬化した時点で、キャッチクランプ７を緩めて両長手側側枠２、２の両端縁部から両短手側側枠３、３を取り外し、図３に示すように、インサート金具８からボルト１０を抜き取り、フランジ部４１、４１を固定したボルト９を抜き取って連結金具４を取り外し、両長手側側枠２、２を外側に開くことにより、成型されたＡＬＣ立ち上がり受けＢをクレーンなどで底板１上から抜き取ることができる。
【００２３】
次に、この実施例１の効果を説明する。
この実施例１のコンクリート製品成型型枠装置では、上述のように、側枠の内少なくとも対向する両長手側側枠２、２が底板１の側縁部に対し開閉自在に軸支されているため、側枠の組み付け、取り外し作業の簡略化による作業時間の短縮化と労力の軽減化が可能になるという効果が得られる。
【００２４】
以上本実施例を説明してきたが、本考案は上述の実施例に限られるものではなく、本考案の要旨を逸脱しない範囲の設計変更等があっても、本考案に含まれる。
【００２５】
例えば、実施例では、両短手側側枠３、３を両長手側側枠２、２の両端縁部に対しキャッチクランプ７で固定したが、ボルトで固定するようにしてもよい。
【００２６】
また、実施例では、ＡＬＣ立ち上がり受けを成型する型枠装置を例にとって説明したが、単純梁構造等の全てのコンクリート製品成型型枠装置への適用が可能である。
【符号の説明】
【００２７】
１  底板
２  長手側側枠
３  短手側側枠
４  連結金具
４１  フランジ部
４２  側面部
４３  底面部
５  ヌスミ板
６  蝶番
７  キャッチクランプ
８  インサート金具
９  固定具
１０  ボルト
１１  コンクリート
Ｂ  ＡＬＣ立ち上がり受け
【図１】
0003197124.tif 000003
【図２】
0003197124.tif 000004
【図３】
0003197124.tif 000005
【手続補正書】
【提出日】平成27年2月24日(2015.2.24)
【手続補正１】
【補正対象書類名】実用新案登録請求の範囲
【補正対象項目名】全文
【補正方法】変更
【補正の内容】
【実用新案登録請求の範囲】
【請求項１】
底板と、この底板の周縁を囲む側枠によって構成され、
前記側枠の内少なくとも対向する両長手側側枠の下端縁部が前記底板の両側縁部に対し開閉自在に軸支されていることを特徴とするコンクリート製品成型型枠装置。
【請求項２】
請求項１記載のコンクリート製品成型型枠装置において、
前記軸支部が蝶番で構成されていることを特徴とするコンクリート製品成型型枠装置。
【請求項３】
請求項１又は２記載のコンクリート製品成型型枠装置において、
前記側枠の内対向する短手側側枠が底板に軸支された両長手側側枠の両端縁部に対し着脱自在に固定することで組み付けられるように構成されていることを特徴とするコンクリート製品成型型枠装置。
【請求項４】
請求項１〜３のいずれか１項に記載のコンクリート製品成型型枠装置において
前記両長手側側枠の上端縁部相互間を連結する連結金具を備えることを特徴とするコンクリート製品成型型枠装置。
【請求項５】
請求項１〜４のいずれか１項に記載のコンクリート製品成型型枠装置において
前記底板の上面には、コンクリート製品の底面形状に応じたヌスミ板が固定されていることを特徴とするコンクリート製品成型型枠装置。